(57)【要約】【課題】反射板における各側壁の隙間を塞いで、照射光漏れを防止する。【解決手段】反射板１０に、一方の導光板用側壁１３ａにおける他方の導光板用側壁１３ｂの一端縁に隣位する一端縁に一方の導光板用側壁１３ａから連続して一体に閉塞部材１４を形成し、閉塞部材１４を、他方の導光板用側壁１３ｂの外面に接するように折曲する。【選択図】            図２
2005026002.tif 000002
【特許請求の範囲】
【請求項１】
導光板と、前記導光板における少なくとも１つの側面に対向するように設けられた光源と、前記導光板の一主面に対向する基体、および前記導光板における前記光源が設けられた前記側面を除く少なくとも２つの隣接する各側面に対向するように前記基体の周縁部が導光板用側壁とされた反射板とを有してなり、前記各導光板用側壁の端縁が隣接する他の前記導光板用側壁の端縁から分離されているライトユニットにおいて、
前記反射板が、一方の前記導光板用側壁における他方の前記導光板用側壁に隣位する一端縁に前記一方の導光板用側壁から連続して一体に形成された閉塞部材を有し、前記閉塞部材は、前記他方の導光板用側壁に接するように折曲されていることを特徴とするライトユニット。
【請求項２】
前記他方の導光板用側壁における前記一方の導光板用側壁に隣位する一端縁に固定部材が前記他方の導光板用側壁から連続して一体に形成され、前記固定部材の側縁に、前記光源の端部に接続されて前記導光板用側壁の外面に沿って引き回されている電線を係止する係止部が切り欠き形成されている請求項１に記載のライトユニット。
【発明の詳細な説明】
【０００１】
【発明の属する技術分野】
本発明は、光源から導光板を介して照射光を照射するライトユニットに関する。
【０００２】
【従来の技術】
従来より、コンピュータや携帯電話等の表示手段として液晶表示装置が多用されている。この液晶表示装置は、一対の基板の間隙に液晶が充填された液晶表示パネルを有し、前記液晶表示パネルの反視認側には、前記液晶表示パネルに照射光を照射するためのバックライトユニットが設けられている。
【０００３】
このようなバックライトユニットは、前記液晶表示パネルの反視認面に開口部が向くように配置された枠体を有する。前記枠体の内部には、矩形状の導光板が設けられており、前記枠体の内部であって前記導光板における隣接する２つの側面近傍には、略Ｌ字状の光源が設けられている。また、前記枠体の内部における前記導光板の反視認側には反射板が設けられており、この反射板は、前記導光板における前記光源が配設されていない他の２つの側面に対向する導光板用側壁を有している。
【０００４】
この反射板における導光板用側壁は、平坦状であってほぼ矩形状の平板における隣接する２辺の側縁部分を前記平板に対して直交するように折曲することにより形成されている。ここで、前記平板の各側縁部分を容易に折曲可能とするために、前記平板における前記導光板用側壁が形成される２辺の間の角部には、前記各導光板用側壁を形成するための折曲線に至る切り欠きが形成されている。このため、前記各導光板用側壁における隣位する各端縁は分離されている。
【０００５】
そして、前記光源の両端部に接続された電線は、前記反射板における導光板用側壁と前記枠体における側壁との間隙を前記両導光板用側壁の外面に沿って引き回されて、外部電源に接続されていた。
【０００６】
【発明が解決しようとする課題】
しかし、前述のような角部に切り欠きが形成された平板からなる反射板においては、前記側縁部分を折曲して各導光板用側壁を形成すると、図４に示すように、前記各導光板用側壁２３の間に隙間が生じてしまう。このため、前記光源から導光板に照射された照射光の一部は前記各導光板用側壁２３の隙間から漏れてしまい、この漏れた照射光によって液晶表示装置における液晶表示パネル以外の他の部分が照射されてしまうおそれがあった。この結果、前記液晶表示装置は、見栄えが悪くなってしまうという問題を有していた。
【０００７】
また、前記光源に接続された電線２６は、前記各導光板用側壁２３の外面に沿って引き回されて前記反射板２７の角部において固定されていないため、ガタつきが生じ前記導光板用側壁２３の一端縁部分に接触してしまい、この結果、前記電線２６が損傷してしまうおそれがあった。
【０００８】
ここで、前記各導光板用側壁の隙間に接着テープを貼着して前記隙間を塞ぐことにより、光漏れを防止するとともに、電線２６が前記導光板用側壁２３の一端縁部分に接触するのを防止することも考えられる。しかし、前述のように接着テープを用いる場合、バックライトユニットの製造において前記接着テープの貼着工程が増えるとともに、構成材料も増えるため、前記バックライトユニットの製造に手間がかかり、製造コストも向上してしまうという問題があった。
【０００９】
本発明はこれらの点に鑑みてなされたものであり、反射板における各導光板用側壁の隙間を容易に塞ぐことにより、照射光漏れを防止することができるライトユニットを提供することを目的とする。
【００１０】
【課題を解決するための手段】
前記目的を達成するため、請求項１に記載の本発明に係るライトユニットの特徴は、導光板と、前記導光板における少なくとも１つの側面に対向するように設けられた光源と、前記導光板の一主面に対向する基体、および前記導光板における前記光源が設けられた前記側面を除く少なくとも２つの隣接する各側面に対向するように前記基体の周縁部が導光板用側壁とされた反射板とを有してなり、前記各導光板用側壁の端縁が隣接する他の前記導光板用側壁の端縁から分離されているライトユニットにおいて、前記反射板が、一方の前記導光板用側壁における他方の前記導光板用側壁に隣位する一端縁に前記一方の導光板用側壁から連続して一体に形成された閉塞部材を有し、前記閉塞部材は、前記他方の導光板用側壁に接するように折曲されている点である。
【００１１】
この請求項１に記載の本発明によれば、閉塞部材を他方の導光板用側壁の方向に折曲することにより、分離された両導光板用側壁の端縁の隙間を塞ぐことができるので、照射光が反射板の外部に漏れてしまうことを防止することができる。そして、この閉塞部材は反射板の構成材料によって前記反射板に一体と形成されているので、光源から導光板に入射した照射光が前記両導光板用側壁の隙間に照射された場合であっても、前記閉塞部材によって反射させて再度導光板に入射させることができる。
【００１２】
また、請求項２に記載の本発明に係るライトユニットの特徴は、前記他方の導光板用側壁における前記一方の導光板用側壁に隣位する一端縁に固定部材が前記他方の導光板用側壁から連続して一体に形成され、前記固定部材の側縁に、前記光源の端部に接続されて前記導光板用側壁の外面に沿って引き回されている電線を係止する係止部が切り欠き形成されている点である。
【００１３】
この請求項２に記載の本発明によれば、閉塞部材によって両導光板用側壁の隙間を塞ぐことができるとともに、固定部材の係止部によって電線を固定させることができる。
【００１４】
【発明の実施の形態】
以下、本発明に係るライトユニットを用いた液晶表示装置の実施形態を図１から図３を参照して説明する。ここで、本実施形態においてはバックライトユニットを液晶表示装置に用いた場合について説明するが、本発明に係るライトユニットの用途はこれに限定されない。
【００１５】
図１は、本実施形態に係る液晶表示装置を示す分解斜視図であり、図１に示すように、前記液晶表示装置１は一対の基板２の間隙に液晶（図示せず）が充填された液晶表示パネル３を有する。
【００１６】
前記液晶表示パネル３の反視認側には、前記液晶表示パネル３に照射光を照射するためのバックライトユニット５が設けられており、前記バックライトユニット５は、前記液晶表示パネル３側に開口部が向くように配置された枠体６を有する。
【００１７】
前記枠体６の内部には、矩形状の導光板７の一主面が前記液晶表示パネル３の反視認面に対向するように設けられており、前記枠体６の内部であって前記導光板７における隣接する２辺の側面近傍には、冷陰極管等からなる略Ｌ字状の光源８が前記導光板７の側面に対向するように設けられている。なお、この光源８は、前記導光板７の１辺の側面近傍に設けられる直線状のものであってもよい。
【００１８】
また、前記枠体６の内部であって前記導光板７の反視認側には、白色フィルムからなる反射板１０が設けられている。
【００１９】
この反射板１０は、前記導光板７の反視認面に対向するように配置されたほぼ矩形状の基体１１を有し、前記基体１１における前記光源８の反視認側周面に対向する２辺の周縁部には、前記光源８の外側周面および視認側周面に対向するような光源用側壁１２が形成されている。これにより、前記光源８における内側周面から照射された照射光は、直接導光板７に入射され、また反視認側、外側および視認側周面から照射された照射光は、前記反射板１０の基体１１または前記光源用側壁１２に反射されて前記導光板７に入射されるようになっている。
【００２０】
前記反射板１０の基体１１における他の２辺の周縁部には、前記導光板７の側面に対向するようにそれぞれ導光板用側壁１３ａ，１３ｂが形成されており、図２に示すように、両導光板用側壁１３ａ，１３ｂはそれぞれ各端縁において分離して形成されている。
【００２１】
前記両導光板用側壁１３ａ，１３ｂのうち一方の導光板用側壁１３ａにおける他方の導光板用側壁１３ｂに隣位する一端縁には、閉塞部材１４が前記一方の導光板用側壁１３ａから連続して一体に形成されており、前記閉塞部材１４は、前記他方の導光板用側壁１３ｂの外面に当接するように折曲されている。これにより分離された両導光板用側壁１３ａ，１３ｂの隙間が塞がれるようになっている。
【００２２】
そして、前記光源８の両端部に接続された平坦な断面四角状のフラット電線１６のうち一方のフラット電線１６ａは、前記反射板１０における導光板用側壁１３ａと前記枠体６の側壁との間隙を前記導光板用側壁１３ａの外面に沿って引き回され、前記反射板１０の角部において折曲されて、他方のフラット電線１６ｂとともに図示しない外部電源に接続されている。
【００２３】
次に、本実施形態の作用について説明する。
【００２４】
本実施形態によれば、閉塞部材１４を他方の導光板用側壁１３の方向に折曲することにより、両導光板用側壁１３ａ，１３ｂの隙間を塞ぐことができるので、照射光が前記反射板１０の外部に漏れてしまうことを防止することができる。そして、この閉塞部材１４は反射板１０の構成材料によって前記反射板１０に一体と形成されているので、光源８から導光板７に入射した照射光が前記両導光板用側壁１３ａ，１３ｂの間に照射された場合であっても、前記閉塞部材１４によって反射させて再度導光板７に入射させることができる。
【００２５】
したがって、照射光が反射板１０の外部に漏れてしまうことを防止して、照射光の一部が液晶表示装置１における液晶表示パネル３以外の他の部分に照射されてしまうのを防ぎ、見栄えのいい液晶表示装置１を得ることができる。
【００２６】
また、閉塞部材１４に照射された照射光を反射させて再度導光板７に入射させることにより、効率よく照射光を利用することができる。
【００２７】
さらに、前記閉塞部材１４は、反射板１０の構成材料を利用して形成されており、追加の材料を必要とせず、閉塞部材１４を前記他方の導光板用側壁１３ｂの方向に折曲することによって手間をかけずに前記両導光板用側壁１３ａ，１３ｂの間を塞ぐことができる。これにより、前記バックライトユニット５の製造コストの低廉化を図ることができる。
【００２８】
さらにまた、前記閉塞部材１４を前記他方の導光板用側壁１３ｂの外面に接するように折曲することによって前記他方の導光板用側壁１３ｂの一端縁を反射板１０における閉塞部材１４よりも内側に位置させることができる。これにより、前記フラット電線１６が前記導光板用側壁１３ｂの一端縁に接触して損傷してしまうのを防止することができる。
【００２９】
続いて、本発明に係るライトユニットの第２の実施形態について図３を参照して説明する。ここで、第１の実施形態の基本的構成が同一する箇所については同一の符号を用いて説明する。
【００３０】
図３は、本実施形態に係るバックライトユニットの要部を示す模式的斜視図であり、図３に示すように、前記バックライトユニット５の反射板１０は、導光板７における２辺の側面に対向する導光板用側壁１３ａ，１３ｂを有する。前記両導光板用側壁１３ａ，１３ｂのうち一方の導光板用側壁１３ａの一端縁には、閉塞部材１４が形成されており、前記閉塞部材１４における視認側の側縁の一部には、凹部１８が切り欠き形成されている。
【００３１】
他方の導光板用側壁１３ｂの一端縁には、固定部材１９が前記他方の導光板用側壁１３ｂから連続して一体に形成されており、前記固定部材１９における反視認側の側縁の一部には、係止部２０が切り欠き形成されている。
【００３２】
そして、この固定部材１９は、反射板１０の角部において折曲されながら、前記一方の導光板用側壁１３ａの外面に沿って引き回されたフラット電線１６ａをその視認側から係止部２０によって押さえるように係止するとともに、前記係止部２０と前記閉塞部材１４の凹部１８とが嵌合されるようになっている。
【００３３】
なお、本実施形態においては前記閉塞部材１４に凹部１８が形成されているが、凹部１８が形成されていなくてもよい。この場合、閉塞部材１４は、他方の導光板用側壁１３ｂの内面に接するようにし、前記固定部材１９は、前記閉塞部材１４の外面に接触しながら折曲されて前記係止部２０により前記フラット電線１６をその視認側から押さえて係止することになる。
【００３４】
なお、前記第２の実施形態の他の構成は、前記第１の実施形態の構成と同様であるので、説明を省略する。
【００３５】
本実施形態によれば、閉塞部材１４によって前記両導光板用側壁１３ａ，１３ｂの間を塞ぐことができるとともに、前記固定部材１９の係止部２０によって、前記フラット電線１６をその視認側から押さえることができる。
【００３６】
したがって、バックライトユニット５内においてフラット電線１６の配置位置を固定させることができ、これにより、フラット電線１６のバックライトユニット５からの浮き上がりを防止することができる。
【００３７】
なお、本発明は前記実施形態に限定されるものではなく、必要に応じて種々変更することが可能である。
【００３８】
【発明の効果】
以上述べたように、請求項１に記載の本発明に係るライトユニットによれば、照射光が反射板の外部に漏れてしまうことを防止することができる。
【００３９】
また、閉塞部材に照射された照射光を反射させて再度導光板に入射させることにより、効率よく照射光を利用することができる。
【００４０】
さらに、閉塞部材が反射板の構成材料を利用して形成されているので、追加の材料を必要としないで手間をかけずに両導光板用側壁の間隙を塞ぐことができ、これによりライトユニットの製造コストの低廉化を図ることができる。
【００４１】
また、請求項２に記載の本発明に係るライトユニットによれば、ライトユニット内において電線の配置位置を固定させることができ、これにより、電線がライトユニット内でガタつき、電線を破損してまうのを防止することができる。
【図面の簡単な説明】
【図１】本発明に係るライトユニットを用いた液晶表示装置を示す分解斜視図
【図２】図１のライトユニットの要部をＡ方向から視認した場合を示す模式的斜視図
【図３】本発明に係る他のライトユニットの要部を示す模式的斜視図
【図４】従来のライトユニットに用いられた反射板の要部を示す模式的斜視図
【符号の説明】
１  液晶表示装置
３  液晶表示パネル
５  バックライトユニット
７  導光板
８  光源
１０  反射板
１１  基体
１２  光源用側壁
１３  導光板用側壁
１４  閉塞部材
１６  フラット電線
１８  係止部
１９  固定部材
２０  凹部
【図１】
2005026002.tif 000003
【図２】
2005026002.tif 000004
【図３】
2005026002.tif 000005
【図４】
2005026002.tif 000006